(57)【要約】【課題】本発明は、操作性に優れ、かつ玉網が傾いても水がこぼれ落ちることのない構成の玉網を提供する。【解決手段】本発明の玉網は、柄３に設けた枠５に網７の開口を保持し、網７の底部に水を溜めることが可能な水溜め部８を設けた構成において、この水溜め部８は、底部８ａと底部８ａの周辺から全周に亘って上方に立ち上がる周壁部８ｂを有し、この周壁部８ｂを、網７の先端側より柄３がある後端側を低くしたことを特徴とする。【選択図】    図１
2004222664.tif 000002
【特許請求の範囲】
【請求項１】
柄に設けた枠に網の開口を保持し、前記網の底部に水を溜めることが可能な水溜め部を設けた玉網において、
前記水溜め部は、底部と底部の周辺から全周に亘って上方に立ち上がる周壁部を有し、この周壁部を、網の先端側より前記柄がある後端側を低くしたことを特徴とする玉網。
【請求項２】
前記水溜め部の周壁部は、最も高い部分から最も低い部分にかけてその高さが徐々に低くなることを特徴とする請求項１に記載の玉網。
【請求項３】
前記水溜め部の周壁部の最も高い位置と最も低い位置とを結ぶ直線は、前記柄に対して１０°〜３０°の範囲で傾斜していることを特徴とする請求項２に記載の玉網。
【発明の詳細な説明】
【０００１】
【発明の属する技術分野】
本発明は、魚を取り込む際に用いられる玉網に関し、特に、鮎釣り、渓流釣り等に適した玉網に関する。
【０００２】
【従来の技術】
従来から、公知文献１に開示されているように、網部の底部側に水を溜める水溜め部を設けた玉網が使用されている。このような玉網は、主に鮎釣りや渓流釣りに多く使用されており、実際には、柄の部分をウエストベルトに差し込み、魚が釣れた際に差し込んだ玉網を取り出して網部で捕獲すると共に、仕掛けのメンテナンスや仕掛けの取付け作業（例えば囮鮎に鼻環を付ける場合等）を行なう場合、水を溜めた水溜め部内で操作が行なわれる。このため、魚の取扱い時に魚が動き回っても網に針を引掛ける不具合がなく、また、釣場を移動する際、水溜め部が生簀の役目を果たすことから、魚を弱らせてしまうようなことがない。
【０００３】
ところで、上記した水溜め部を有する玉網は、渓流中で立ち込んだとき、水を溜める部分で水流を受けてしまって抵抗が大きくなり、この状態で釣りを行なうと大変疲れるという問題が生じる。このため、公知文献２に開示されているように、網の底部に、一方側に水溜め部を形成すると共に、他方側に水が通過可能な水通過部を形成した玉網が開示されている。
【０００４】
【公知文献１】
実開昭５８−７０７６６号公報
【公知文献２】
特開平８−３１７７４８号公報。
【０００５】
【発明が解決しようとする課題】
上記した公知文献１に開示されている玉網は、水溜め部が深過ぎると、囮鮎の取扱い時や釣れた魚から釣針を取り外す時など、流水抵抗が強くなって操作がし難いという問題が生じると共に、必要以上に水を入れてしまうと、重くなって持ち上げられず、移動操作性に劣るという問題がある。
【０００６】
また、上記した公知文献２に開示されている玉網は、一部の底部が網部で形成されているため、例えば、鮎の友釣り等で釣針付きの仕掛けを取り付けた囮鮎を入れた場合、囮鮎が暴れた勢いで底部の網部領域に泳ぎ上がる可能性があり、この際、仕掛けの釣針が底部の網部領域に引っ掛かり易いという問題が生じる。しかも、底部に水を溜めた場合、玉網の先端側が重くなるにもかかわらず、柄の後端部を握持して支えるため、安定して支持することができず、更には玉網が柄の側に傾いたとき網部の柄側の底部から水がこぼれてしまうという問題がある。
【０００７】
この発明は、上記した問題に着目してなされたものであり、操作性に優れ、かつ玉網が傾いても水がこぼれ落ちることのない構成の玉網を提供することを目的とする。
【０００８】
【課題を解決するための手段】
上記した目的を達成するために、本発明に係る玉網は、柄に設けた枠に網の開口を保持し、前記網の底部に水を溜めることが可能な水溜め部を設けており、前記水溜め部は、底部と底部の周辺から全周に亘って上方に立ち上がる周壁部を有し、この周壁部を、網の先端側より前記柄がある後端側を低くしたことを特徴とする。
【０００９】
一般的に、上記したような玉網内に取り込んだ魚から釣針を外したり、或いは囮鮎に釣針をつける動作等を観察すると、釣人は、ウエストベルトに玉網の柄を差し込んで固定し、若干前屈みになった状態（しゃがんだ場合も同様）で作業を行なっており、この状態では、玉網は、柄の部分が水平面に対して先端側が下方に向けて傾斜している。このような玉網の状態を考慮して、網部の先端側と後端側において、そのような傾斜に応じて水溜め部の深さを変えておくことで、流水抵抗を効率的に抑えると共に必要最小限の水溜め量とすることができ、かつ水を安定してこぼれることなく無く溜めておくことが可能となる。
【００１０】
【発明の実施の形態】
図１〜図４は、本発明に係る玉網の第１の実施形態を示す図であり、図１は、玉網の全体構成を示す側面図、図２は、玉網の中央部分の断面図（図３のＡ部分の断面図）、図３は、玉網の平面図、そして、図４は、釣人が前屈みになったときの玉網の状態を示す図である。
【００１１】
本実施形態における玉網１は、柄３と、この柄３の先端側に取り付けた円形状の枠５と、この枠５に開口した状態で取り付けた袋状の網７とを備えて構成されている。
【００１２】
前記柄３は、木材、合成樹脂等で形成されており、釣人の身体Ｐに取り付けたウエストベルト５０に差し込んで玉網１を支持できる程度の長さを有し、その先端側に金属製の円形状の枠５が装着されるようになっている。この場合、柄３と枠５は、一体的に形成しても良く、或いは、着脱可能に構成しても良い。
【００１３】
前記円形状の枠５に沿って網７の開口部分が止着される。この網７は、ナイロンのモノフィラメントを編んで、その目を水が通過するようにした周壁部７ａを有しており、網７の底部には、水を溜めることができる水溜め部８が設けられている。なお、周壁部７ａは、マルチフィラメントの網状のものとしても良く、水溜め部は、網７の底部に一体的に止着されるもの、或いは、網７に対して、別体として装着されるものであっても良い。
【００１４】
前記水溜め部８は、網７の底となる円形の底部８ａと、その周辺部全周から立ち上がり、網７の周壁部７ａに一体化される周壁部８ｂとを有しており、非透水性の材料（例えば合成樹脂のシート等）で形成するか、または、網状部分よりも目の摘んだ布帛（例えば、ナイロン織布等）で形成される。このような材料であれば、網状部分よりも繊維間の隙間が小さく多少水がこぼれることがあっても、釣り場での僅かな移動や、玉網に魚を入れての簡単な作業が行なえ、玉網内の魚を弱らせることはない。
【００１５】
前記水溜め部８の周壁部８ｂは、側面視で、玉網先端側が高く形成され、柄の側にかけて徐々に連続して低くなるように形成されている（段階的に低くなるように形成されていても良い）。この場合、柄の側の周壁部（符号８ｂ´で示す）は、全くない状態にはなっておらず、玉網が柄の側に傾いても全ての水がこぼれてしまわないように、低くても立ち上がった状態となっている。又、水溜め部８の底部８ａは、湾曲状に形成しても良い。
【００１６】
上記した構成において、玉網内に魚を入れて使用するとき、柄３を身体Ｐとウエストベルト５０との間に挟持し、玉網は、身体Ｐの正面に網が上方に開口した状態に保持される。この状態で網の底側が水に浸るように身体を前屈みにすると、玉網１の先端側が下方に向くように傾斜する。この作業における玉網１の傾斜角度（柄３の水平面に対する傾斜角度）は、腰まで水に浸かって流れの中に立った状態で、前屈みで網の中に手を入れて作業する場合でおよそ１０°、片膝を付いて浅瀬で網の中に手を入れて作業する場合でおよそ３０°である。従って、水溜め部８の上端縁８ｃの傾斜、すなわち、最も高い位置（深い位置）Ｈと最も低い位置（浅い位置）Ｌを結ぶ直線は、この範囲内となるように形成することが好ましい。また、夫々の位置における深さについては限定されることはないが、各種の作業性を考慮して、位置Ｈにおける深さは５〜１５ｃｍ程度、位置Ｌにおける深さは２〜１０ｃｍ程度にしておくことが好ましい。
【００１７】
このように構成することで、前屈み状態で水溜め部８の上端縁８ｃの傾斜は、図４に示すように水平となって水面Ｗと一致し、水溜め部８のみが水に浸る。したがって、水溜め部８は、余計な範囲設ける必要がなくなり、網の軽量化が図れ、しかも、流れに立ち込んだときでも水の抵抗が少なくなる。さらに、上記した公知技術２に開示されている玉網とは異なり、柄の側にも周壁部８ｂ´があるため、囮鮎が暴れても、周壁部に沿って泳ぎ回るだけであり、作業中に囮鮎に付けた仕掛けが網部に引っ掛かかることはなく、また、柄３を握持して水溜め部８に水を入れたまま玉網を持ち運ぶときに、玉網が柄の側に傾いても全ての水がこぼれてしまうようなことがない。
【００１８】
また、上記したように水溜め部８の上端縁８ｃを傾斜させたことで、流れの中に立ち込んで釣りをしている場合（ウエストベルトの背中側に柄を差し込んでいる）、水溜め部８の柄に近い部分が浅く形成されているので、この部分で水流を受けても、その抵抗を小さくすることができる。
【００１９】
図５及び図６は、本発明の第２の実施形態を示す図であり、図５は、全体構成を示す平面図、図６は、図５のＢ−Ｂ線に沿った断面図である。
この実施形態における網７の底部に設けられる水溜め部１８は、柄３の長手方向に対して傾斜する方向に長く形成されている。この場合、水溜め部１８は、前記同様、矩形の底部１８ａと、その周辺部全周から立ち上がり、網７の周壁部７ａに一体化される周壁部１８ｂとを有しており、玉網１の先端側Ｄ１の周壁部が深く、後端側（柄側）Ｄ２の周壁部が浅くなるように形成されている。また、このような構成に置おいても、上端縁１８ｃの傾斜は、最も高い位置Ｈと最も低い位置Ｌとを結ぶ直線が１０°〜３０°の範囲内に形成されることが好ましい。
【００２０】
このような水溜め部１８の構成によれば、玉網の柄をウエストベルトに差し込んだ状態で、例えば、囮鮎に仕掛けを装着する場合、囮鮎の向きを最も仕掛けを装着しやすい向きに仕向けることが可能となり、作業性の向上が図れる。
【００２１】
以上のように、網の底部に設けられる水溜め部の構成については適宜変形することが可能であり、更には、水溜め部の網７に対する装着方法についても適宜変形することが可能である。
【００２２】
【発明の効果】
以上、上記した水溜め部の構成によれば、操作性に優れ、玉網が傾いても水がこぼれ落ちることのない玉網が得られる。
【図面の簡単な説明】
【図１】本発明に係る玉網の第１の実施形態を示す図であり、玉網の全体構成を示す側面図。
【図２】玉網の中央部分の断面図（図３のＡ部分の断面図）。
【図３】玉網の平面図。
【図４】釣人が前屈みになったときの玉網の状態を示す図。
【図５】本発明に係る玉網の第２の実施形態を示す図であり、玉網の全体構成を示す平面図。
【図６】図５のＢ−Ｂ線に沿った断面図。
【符号の説明】
１  玉網
３  柄
５  枠
７  網
８，１８  水溜め部
８ａ，１８ａ  底部
８ｂ，１８ｂ  周壁部
【図１】
2004222664.tif 000003
【図２】
2004222664.tif 000004
【図３】
2004222664.tif 000005
【図４】
2004222664.tif 000006
【図５】
2004222664.tif 000007
【図６】
2004222664.tif 000008